(57)【要約】【課題】電子データの操作に不慣れな作業者でも電子カルテをカルテ用紙のように容易に利用できるデータ管理システムを提供する。【解決手段】電子カルテを仮想ページごとに区分してデータ表示し、その仮想ページの前後切換が入力操作されると、その入力操作に対応してデータ表示される仮想ページを前後切換するので、電子データからなる電子カルテをカルテ用紙の場合と同様にデータ表示して前後切換することができる。【選択図】  図１
2005025556.tif 000002
【特許請求の範囲】
【請求項１】
各種の診療データが登録されている被験者ごとの電子カルテをデータ管理するデータ管理システムであって、
多数の前記電子カルテをデータ記憶しているカルテ記憶手段と、
特定の前記電子カルテの閲覧指示が入力操作される閲覧入力手段と、
入力操作された前記閲覧指示に対応した前記電子カルテをデータ読出するカルテ読出手段と、
データ読出された前記電子カルテを一時保持するカルテ保持手段と、
一時保持された前記電子カルテを仮想ページごとに区分してデータ表示するページ表示手段と、
データ表示された前記仮想ページの前後切換が入力操作される切換入力手段と、
入力操作された前記前後切換に対応してデータ表示される前記仮想ページを前後切換させるページ切換手段と、
を有しているデータ管理システム。
【請求項２】
各種の診療データが登録されている被験者ごとの電子カルテをデータ管理するデータ管理システムであって、
前記診療データが仮想ページごとに区分されている多数の前記電子カルテをデータ記憶しているカルテ記憶手段と、
特定の前記電子カルテの閲覧指示が入力操作される閲覧入力手段と、
入力操作された前記閲覧指示に対応した前記電子カルテをデータ読出するカルテ読出手段と、
データ読出された前記電子カルテを一時保持するカルテ保持手段と、
一時保持された前記電子カルテを前記仮想ページごとにデータ表示するページ表示手段と、
データ表示された前記仮想ページの前後切換が入力操作される切換入力手段と、
入力操作された前記前後切換に対応してデータ表示される前記仮想ページを前後切換させるページ切換手段と、
を有しているデータ管理システム。
【請求項３】
データ表示された前記電子カルテへの前記診療データの入力操作を受け付ける診療入力手段も有しており、
前記カルテ記憶手段は、前記診療データが入力操作された前記電子カルテをデータ記憶する請求項２に記載のデータ管理システム。
【請求項４】
前記診療データの記入項目が所定フォーマットで表記されていて前記診療データが記入されていないカルテ用紙のフォーマット画像をデータ取得する画像取得手段も有しており、
前記ページ表示手段は、前記フォーマット画像を前記電子カルテの白紙の仮想ページとしてデータ表示し、
前記診療入力手段は、データ表示された前記フォーマット画像への前記診療データの入力操作を受け付け、
前記カルテ記憶手段は、前記フォーマット画像を前記仮想ページとして前記電子カルテをデータ記憶する請求項３に記載のデータ管理システム。
【請求項５】
前記ページ切換手段は、前記ページ表示手段の地色と前記仮想ページの地色との中間色の無地ページを前後切換する前記仮想ページの少なくとも前後に挿入する請求項１ないし４の何れか一項に記載のデータ管理システム。
【請求項６】
前記ページ表示手段は、黒地の表示画面に白地の前記仮想ページをデータ表示し、
前記ページ切換手段は、データ表示を前後切換する前記仮想ページの中間に前記無地ページとして少なくとも灰色ページを挿入する請求項５に記載のデータ管理システム。
【請求項７】
前記ページ切換手段は、データ表示を前後切換する前記仮想ページの中間に前記無地ページとして少なくとも灰色ページと黒色ページと灰色ページとを順番に挿入する請求項６に記載のデータ管理システム。
【請求項８】
前記仮想ページの前後切換を動画でデータ表示させる効果出力手段も有している請求項１ないし７の何れか一項に記載のデータ管理システム。
【請求項９】
前記仮想ページの前後切換に連動して効果音を音声出力する効果出力手段も有している請求項１ないし８の何れか一項に記載のデータ管理システム。
【請求項１０】
一連の音声データが音声入力される音声入力手段と、
音声入力される一連の前記音声データをテキストデータに変換するテキスト変換手段と、
前記テキストデータの少なくとも一部を前記診療データの少なくとも一部として前記電子カルテにデータ入力するテキスト入力手段と、
も有している請求項１ないし９の何れか一項に記載のデータ管理システム。
【請求項１１】
一連の音声データが音声入力される音声入力手段と、
音声入力される一連の前記音声データを圧縮して音声ファイルをデータ生成するファイル生成手段と、
前記音声ファイルを前記電子カルテに添付するファイル添付手段と、
一時保持された前記電子カルテに添付されている前記音声ファイルを前記音声データに伸張する音声再生手段と、
伸張された一連の前記音声データを音声出力する音声出力手段と、
も有している請求項１ないし１０の何れか一項に記載のデータ管理システム。
【請求項１２】
前記切換入力手段は、前記前後切換が複数段階に入力操作され、
前記ページ切換手段は、データ表示される前記仮想ページを前記入力操作に対応した複数段階の切換速度で前後切換させる請求項１ないし１１の何れか一項に記載のデータ管理システム。
【請求項１３】
前記切換入力手段は、
入力操作される操作部材と、
この操作部材を前後方向に揺動自在に支持している支持機構と、
前記操作部材を複数の操作位置から一つの初期位置まで相違する圧力で付勢している複数の揺動復帰手段と、
前記操作部材の一つの前記初期位置から複数の前記操作位置への揺動を個々に検出する複数の揺動検出手段と、
を有している請求項１２に記載のデータ管理システム。
【請求項１４】
前記カルテ記憶手段は、前記電子カルテの診療データが各種のデータ領域ごとに区分されて登録されており、
前記ページ表示手段は、前記データ領域ごとに所定のフォントで前記診療データを表示出力する請求項１ないし１３の何れか一項に記載のデータ管理システム。
【請求項１５】
所定位置に設置されている中央処理装置と作業者が携帯する携帯端末装置とを別個に有しており、
前記中央処理装置は、少なくとも前記カルテ記憶手段を有しており、
前記携帯端末装置は、
前記中央処理装置のカルテ記憶手段から前記電子カルテの少なくとも一部を前記仮想ページごとにデータ取得するページ取得手段と、
データ取得された前記仮想ページを一時保持するページ保持手段と、
一時保持された前記仮想ページをデータ表示する携帯表示手段と、
データ表示された前記仮想ページに前記診療データが入力操作される携帯入力手段と、
入力操作された前記診療データを一時保持する診療保持手段と、
一時保持された前記診療データを前記中央処理装置のカルテ記憶手段の対応する前記電子カルテの対応する前記仮想ページにデータ入力する診療転送手段と、
を有している請求項１ないし１４の何れか一項に記載のデータ管理システム。
【請求項１６】
請求項１５に記載のデータ管理システムの携帯端末装置であって、
前記中央処理装置のカルテ記憶手段から前記電子カルテの少なくとも一部を前記仮想ページごとにデータ取得するページ取得手段と、
データ取得された前記仮想ページを一時保持するページ保持手段と、
一時保持された前記仮想ページをデータ表示する携帯表示手段と、
データ表示された前記仮想ページに前記診療データが入力操作される携帯入力手段と、
入力操作された前記診療データを一時保持する診療保持手段と、
一時保持された前記診療データを前記中央処理装置のカルテ記憶手段の対応する前記電子カルテの対応する前記仮想ページにデータ入力する診療転送手段と、
を有している携帯端末装置。
【請求項１７】
請求項１に記載のデータ管理システムのデータ管理方法であって、
多数の前記電子カルテをデータ記憶しておき、
特定の前記電子カルテの閲覧指示の入力操作を受け付け、
入力操作された前記閲覧指示に対応した前記電子カルテをデータ読出し、
データ読出された前記電子カルテを一時保持し、
一時保持された前記電子カルテを仮想ページごとに区分してデータ表示し、
データ表示された前記仮想ページへの前後切換の入力操作を受け付け、
入力操作された前記前後切換に対応してデータ表示される前記仮想ページを前後切換するデータ管理方法。
【請求項１８】
請求項２に記載のデータ管理システムのデータ管理方法であって、
前記診療データが仮想ページごとに区分されている多数の前記電子カルテをデータ記憶しておき、
特定の前記電子カルテの閲覧指示の入力操作を受け付け、
入力操作された前記閲覧指示に対応した前記電子カルテをデータ読出し、
データ読出された前記電子カルテを一時保持し、
一時保持された前記電子カルテを前記仮想ページごとにデータ表示し、
データ表示された前記仮想ページへの前後切換の入力操作を受け付け、
入力操作された前記前後切換に対応してデータ表示される前記仮想ページを前後切換するデータ管理方法。
【請求項１９】
請求項１５または１６に記載の携帯端末装置のデータ処理方法であって、
前記中央処理装置のカルテ記憶手段から前記電子カルテの少なくとも一部を前記仮想ページごとにデータ取得し、
データ取得された前記仮想ページを一時保持し、
一時保持された前記仮想ページをデータ表示し、
データ表示された前記仮想ページへの前記診療データの入力操作を受け付け、
入力操作された前記診療データを一時保持し、
一時保持された前記診療データを前記中央処理装置のカルテ記憶手段の対応する前記電子カルテの対応する前記仮想ページにデータ入力するデータ処理方法。
【請求項２０】
請求項１に記載のデータ管理システムのためのコンピュータプログラムであって、
多数の前記電子カルテをデータ記憶すること、
特定の前記電子カルテの閲覧指示の入力操作を受け付けること、
入力操作された前記閲覧指示に対応した前記電子カルテをデータ読出すること、
データ読出された前記電子カルテを一時保持すること、
一時保持された前記電子カルテを仮想ページごとに区分してデータ表示すること、
データ表示された前記仮想ページへの前後切換の入力操作を受け付けること、
入力操作された前記前後切換に対応してデータ表示される前記仮想ページを前後切換すること、
を前記データ管理システムに実行させるためのコンピュータプログラム。
【請求項２１】
請求項２に記載のデータ管理システムのためのコンピュータプログラムであって、
前記診療データが仮想ページごとに区分されている多数の前記電子カルテをデータ記憶すること、
特定の前記電子カルテの閲覧指示の入力操作を受け付けること、
入力操作された前記閲覧指示に対応した前記電子カルテをデータ読出すること、
データ読出された前記電子カルテを一時保持すること、
一時保持された前記電子カルテを前記仮想ページごとにデータ表示すること、
データ表示された前記仮想ページへの前後切換の入力操作を受け付けること、
入力操作された前記前後切換に対応してデータ表示される前記仮想ページを前後切換すること、
を前記データ管理システムに実行させるためのコンピュータプログラム。
【請求項２２】
請求項１５または１６に記載の携帯端末装置のためのコンピュータプログラムであって、
前記中央処理装置のカルテ記憶手段から前記電子カルテの少なくとも一部を前記仮想ページごとにデータ取得すること、
データ取得された前記仮想ページを一時保持すること、
一時保持された前記仮想ページをデータ表示すること、
データ表示された前記仮想ページへの前記診療データの入力操作を受け付けること、
入力操作された前記診療データを一時保持すること、
一時保持された前記診療データを前記中央処理装置のカルテ記憶手段の対応する前記電子カルテの対応する前記仮想ページにデータ入力すること、
を前記携帯端末装置に実行させるためのコンピュータプログラム。
【発明の詳細な説明】
【０００１】
【発明の属する技術分野】
本発明は、各種の診療データが登録されている被験者ごとの電子カルテをデータ管理するデータ管理システムに関する。
【０００２】
【従来の技術】
従来、病院などの医療現場では、被験者ごとの診療データを管理するため、記入項目が所定フォーマットで表記されているカルテ用紙に診療データを記入していた。しかし、これでは診療データを用紙ベースでしか管理できないので、現在ではカルテ用紙に相当する電子データとして電子カルテが開発されている。
【０００３】
従来のデータ管理システムは、例えば、電子カルテが蓄積されている１個の中央処理装置と、医務室などの作業現場ごとに設置された複数の現場端末装置からなり、これらが通信ネットワークで接続されている。
【０００４】
電子カルテは、所定フォーマットで記入項目がデータ設定された電子データからなり、記入項目に診療データをテキストデータなどでデータ入力することができる。例えば、医師などの作業者が現場端末装置に所定操作を実行すると、中央処理装置から電子カルテがデータ読出されて現場端末装置にデータ表示されるので、作業者は所望の電子カルテを閲覧することができる。
【０００５】
また、電子カルテがデータ表示された現場端末装置に作業者が所定操作を実行すると、その電子カルテが編集処理されるので、作業者は電子カルテに新規の診療データを追加するようなことができる（例えば、特許文献１〜４参照）。
【０００６】
【特許文献１】
特開２００２−１３２９３４号
【特許文献２】
特開２００２−１１７１４２号
【特許文献３】
特開２００２−１１７１４３号
【特許文献４】
特開２００２−３０４４６６号
【０００７】
【発明が解決しようとする課題】
しかし、従来の電子カルテはディスプレイ画面にデータ表示される電子データからなるので、必要な部分を閲覧するためにはデータ表示される部分をスクロールさせる必要があった。このため、電子カルテはカルテ用紙と同様に利用することができず、電子データの操作に不慣れな作業者には利用しずらかった。
【０００８】
本発明は上述のような課題に鑑みてなされたものであり、病院で使用しているカルテ用紙と同様に電子カルテを利用することができるデータ管理システムを提供することを目的とする。
【０００９】
【課題を解決するための手段】
本発明の第１／第２のデータ管理システムは、各種の診療データが登録されている被験者ごとの電子カルテをデータ管理するため、カルテ記憶手段、閲覧入力手段、カルテ読出手段、カルテ保持手段、ページ表示手段、切換入力手段、ページ切換手段、を有している。
【００１０】
本発明の第１のデータ管理システムでは、カルテ記憶手段は、多数の電子カルテをデータ記憶しており、閲覧入力手段は、特定の電子カルテの閲覧指示が入力操作される。カルテ読出手段は、入力操作された閲覧指示に対応した電子カルテをデータ読出し、カルテ保持手段は、データ読出された前記電子カルテを一時保持する。ページ表示手段は、一時保持された電子カルテを仮想ページごとに区分してデータ表示し、切換入力手段は、データ表示された仮想ページの前後切換が入力操作され、ページ切換手段は、入力操作された前後切換に対応してデータ表示される仮想ページを前後切換させる。
【００１１】
本発明の第２のデータ管理システムでは、カルテ記憶手段は、診療データが仮想ページごとに区分されている多数の電子カルテをデータ記憶しており、ページ表示手段は、一時保持された電子カルテを仮想ページごとにデータ表示する。
【００１２】
本発明の第１／第２のデータ管理システムでは、電子データからなる電子カルテがカルテ用紙の場合と同様にデータ表示され、カルテ用紙の場合と同様に前後切換される。
【００１３】
なお、本発明で云う各種手段は、その機能を実現するように形成されていれば良く、例えば、所定の機能を発揮する専用のハードウェア、所定の機能がコンピュータプログラムにより付与されたデータ処理装置、コンピュータプログラムによりデータ処理装置の内部に実現された所定の機能、これらの組み合わせ、等を許容する。
【００１４】
また、本発明で云う各種の構成要素は、個々に独立した存在である必要もなく、複数の構成要素が１個の部材として形成されていること、ある構成要素が他の構成要素の一部であること、ある構成要素の一部と他の構成要素の一部とが重複していること、等も可能である。
【００１５】
【発明の実施の形態】
［実施の形態の構成］
本発明の実施の一形態を図面を参照して以下に説明する。本実施の形態のデータ管理システム１０は、図１ないし図３に示すように、１個の中央処理装置１１と複数の現場端末装置１２と多数の携帯端末装置１３とを有しており、中央処理装置１１と現場端末装置１２とがＬＡＮ（Ｌｏｃａｌ  Ａｒｅａ  Ｎｅｔｗｏｒｋ）１４により接続されている。
【００１６】
中央処理装置１１は、病院（図示せず）の一つの管理事務所に設置された１個のデータベースサーバなどからなり、病院全体で共有されている。現場端末装置１２は、病院の複数の医療現場ごとに設置されたクライアント端末などからなり、作業者である医師などに使用されている。
【００１７】
携帯端末装置１３は、ＰＤＡ（Ｐｅｒｓｏｎａｌ  Ｄｉｇｉｔａｌ  Ａｓｓｉｓｔａｎｃｅ）のような装置からなり、作業者である看護士などに個々に携帯されている。現場端末装置１２と携帯端末装置１３とはＵＳＢ（Ｕｎｉｖｅｒｓａｌ  Ｓｅｒｉａｌ  Ｂｕｓ）ポートなどのＩ／Ｆ（Ｉｎｔｅｒｆａｃｅ）ユニットを有しており、着脱自在に相互接続することができる。
【００１８】
中央処理装置１１は、図４に示すように、コンピュータの主体となるハードウェアとしてＣＰＵ（Ｃｅｎｔｒａｌ  Ｐｒｏｃｅｓｓｉｎｇ  Ｕｎｉｔ）１０１を有しており、このＣＰＵ１０１には、バスライン１０２により、ＲＯＭ（Ｒｅａｄ  Ｏｎｌｙ  Ｍｅｍｏｒｙ）１０３、ＲＡＭ（Ｒａｎｄｏｍ  Ａｃｃｅｓｓ  Ｍｅｍｏｒｙ）１０４、ＨＤＤ（Ｈａｒｄ  Ｄｉｓｃ  Ｄｒｉｖｅ）１０５、ＦＤ（Ｆｌｅｘｉｂｌｅ  Ｄｉｓｃ−ｃａｒｔｒｉｄｇｅ）１０６が交換自在に装填されるＦＤＤ（ＦＤ  Ｄｒｉｖｅ）１０７、ＣＤ（Ｃｏｍｐａｃｔ  Ｄｉｓｃ）−ＲＯＭ１０８が交換自在に装填されるＣＤドライブ１０９、キーボード１１０、マウス１１１、ディスプレイユニット１１２、光学スキャナ１１３、Ｉ／Ｆユニット１１４、等のハードウェアが接続されている。
【００１９】
なお、各部のデータ容量や処理速度などは相違するが、現場端末装置１２および携帯端末装置１３も中央処理装置１１と同様なハードウェアを有しているので、本形態では各種装置１１〜１３の共通部分は同一の名称および符号を使用して詳細な説明は省略する。
【００２０】
ただし、現場端末装置１２は、図５に示すように、光学スキャナ１１３は有しておらず、マイクロフォン１１６とスピーカユニット１１７とを有している。また、携帯端末装置１３は、図６に示すように、ＣＰＵ１０１、ＲＯＭ１０３、ＲＡＭ１０４、キーボード１１０、ディスプレイユニット１１２、Ｉ／Ｆユニット１１４、のみからなり、他のデバイスは有していない。
【００２１】
また、本形態の現場端末装置１２は、詳細には後述するが、ディスプレイユニット１１２にデータ表示された電子カルテをページ単位で前後移動させるため、図７および図８に示すように、キーボード１１０に専用の入力操作装置１２０が設けられている。
【００２２】
この入力操作装置１２０は、図９ないし図１１に示すように、前後方向に細長い矩形の金属平板からなる基礎部材１２１を有しており、この基礎部材１２１の上面の左右両側には、Ｌ字型に曲折された金属平板からなる一対の側壁部材１２２が一体に固定されている。
【００２３】
また、これら一対の側壁部材１２２の間隙に位置する基礎部材１２１の上面には、前後方向に細長い基礎基板１２３が一体に固定されており、この基礎基板１２３の前後端部が基礎部材１２１の前後縁部より外側に各々突出している。一対の側壁部材１２２の上部中央には支持機構に相当する支持軸１２４が装着されており、この支持軸１２４で前後方向に細長い前後方向に細長い矩形の金属平板からなる揺動部材１２５が前後方向に揺動自在に軸支されている。
【００２４】
この揺動自在な揺動部材１２５の上面には、前後方向に細長い扁平な直方体状に樹脂で形成された操作部材１２６が一体に装着されており、この操作部材１２６は、上面が前端部分から後段部分まで円滑に連通する一面に形成されている。揺動部材１２５の下面には揺動基板１２７が一体に装着されているので、この前後方向に揺動自在に支持された揺動基板１２７が基礎基板１２３に所定間隔で上方から対向している。
【００２５】
そして、本形態の入力操作装置１２０では、揺動基板１２７が対向している基礎基板１２３の前後端部の各々にセンサ素子１３１が二個ずつ並列に実装されており、これら二個のセンサ素子１３１に上方から対向する揺動基板１２７の前後端部の各々にはセンサ素子１３１が１個ずつ実装されている。
【００２６】
このため、基礎部材１２１の表側には、基礎基板１２３を介してセンサ素子１３１が両端部分に二個ずつ並列に実装されており、操作部材１２６の裏側には、揺動部材１２５と揺動基板１２７とを介してセンサ素子１３１が両端部分に１個ずつ実装されている。
【００２７】
なお、本形態の入力操作装置１２０では、一対の側壁部材１２２の前後端部の各々にガイド部材１３２が上下方向に変位自在に装着されており、これらのガイド部材１３２を介して基礎基板１２３の前後端部に実装された二個のセンサ素子１３１と揺動基板１２７の前後端部に実装された１個のセンサ素子１３１とが当接している。
【００２８】
これらのセンサ素子１３１は、一般的な市販部品からなり、素子本体１３３からセンサ凸部１３４が弾発的に突出している。このセンサ素子１３１は、所定の作動荷重が作用した場合のみセンサ凸部１３４が素子本体１３３に埋没し、入力操作の有無を二値で検出する。
【００２９】
基礎基板１２３の前後端部に二個ずつ並列実装されたセンサ素子１３１と揺動基板１２７の前後端部に１個ずつ実装されたセンサ素子１３１とは作動荷重が共通しているので、操作部材１２６は、作動荷重と二倍の作動荷重とで二段階に前後端部が上方に付勢されて初期位置に保持されている。なお、これより以下では説明を簡単とするため、センサ素子１３１の作動荷重を第１荷重、二倍の作動荷重を第２荷重、と呼称する。
【００３０】
本形態の入力操作装置１２０では、上述のように操作部材１２６が第１荷重と第２荷重とで一つの初期位置に付勢されているので、図１２（ｂ）に示すように、操作部材１２６の一端部分に第１荷重が作用すると、揺動基板１２７に実装されている１個のセンサ素子１３１のみ作動することで、操作部材１２６の一端部分は初期位置から第１の操作位置まで揺動する。
【００３１】
さらに、図１２（ｃ）に示すように、この状態から操作部材１２６の一端部分に第２荷重が作用すると、基礎基板１２３に実装されている二個のセンサ素子１３１が作動することで、操作部材１２６の一端部分は第１の操作位置から第２の操作位置まで揺動する。
【００３２】
また、本形態の入力操作装置１２０では、センサ素子１３１の上下厚の二倍にガイド部材１３２の直径を加算した数値と、基礎基板１２３と揺動基板１２７の間隙の数値と、が同一となるように各部が設計されているので、いわゆる遊びのない状態で操作部材１２６が初期位置に保持されている。
【００３３】
なお、基礎基板１２３の上面と揺動基板１２７の下面にはプリント配線（図示せず）が形成されており、このプリント配線にセンサ素子１３１は実装されている。さらに、揺動基板１２７のプリント配線にはフレキシブル基板１３６の一端が直結されており、このフレキシブル基板１３６の他端が接続コネクタ１３９，１３８を介して基礎基板１２３のプリント配線に接続されている。また、この基礎基板１２３のプリント配線には、外部出力の接続コネクタ１３９も実装されており、上述の一対の接続コネクタ１３８，１３９は、基礎基板１２３の前後端部に１個ずつ配置されている。
【００３４】
ただし、前述のように操作部材１２６の一端部分に第２荷重が作用しても、基礎基板１２３の両端部分に実装されている二個のセンサ素子１３１の作動タイミングに誤差が発生する可能性がある。そこで、本形態の入力操作装置１２０では、例えば、基礎基板１２３の両端部分に並設されている二個のセンサ素子１３１の出力配線を共通化することなどにより、並設されている二個のセンサ素子１３１が一方のみ作動しても検出信号が出力される構造を実現している。
【００３５】
本形態の各種装置１１〜１３では、ＲＯＭ１０３、ＲＡＭ１０４、ＨＤＤ１０５、交換自在なＦＤ１０６、交換自在なＣＤ−ＲＯＭ１０８、等のハードウェアが情報記憶媒体に相当し、これらの少なくとも１個にＣＰＵ１０１のためのコンピュータプログラムやリソースがソフトウェアとして格納されている。
【００３６】
このようなソフトウェアをＣＰＵ１０１がデータ読取して各種処理を実行することにより、図１に示すように、中央処理装置１１は、画像取得手段２０１、カルテ記憶手段２０２、カルテ読出手段２０４、等の各種手段を各種機能として論理的に有している。
【００３７】
同様に、現場端末装置１２は、閲覧入力手段２０３、カルテ保持手段２０５、ページ表示手段２０６、診療入力手段２０７、切換入力手段２０８、ページ切換手段２０９、効果出力手段２１１、音声入力手段２１２、テキスト変換手段２１３、テキスト入力手段２１４、ファイル生成手段２１５、ファイル添付手段２１６、音声再生手段２１７、音声出力手段２１８、等の各種手段を各種機能として論理的に有しており、図２に示すように、携帯端末装置１３は、ページ取得手段２２１、ページ保持手段２２２、携帯表示手段２２３、携帯入力手段２２４、診療保持手段２２５、診療転送手段２２６、等の各種手段を各種機能として論理的に有している。
【００３８】
画像取得手段２０１は、中央処理装置１１のＣＰＵ１０１がＲＡＭ１０４に格納されているコンピュータプログラムに対応して光学スキャナ１１３を動作制御する機能などに相当し、カルテ用紙３１を光学走査してフォーマット画像３２をデータ取得する。
【００３９】
より具体的には、図１３に示すように、カルテ用紙３１は、診療データの記入項目が所定フォーマットで表記されているが、その内容は診療科などの医療現場ごとに相違しており、そのフォーマット画像３２は、本形態では罫線や記入項目などがデータ認識されていない単純なビットマップデータからなる。
【００４０】
カルテ記憶手段２０２は、ＣＰＵ１０１がＲＡＭ１０４のコンピュータプログラムに対応してデータ認識するＨＤＤ１０５の記憶エリアなどに相当し、多数の電子カルテを更新自在にデータ記憶している。この電子カルテは被験者ごとにデータ登録されており、図１４に示すように、カルテ用紙３１のフォーマット画像３２にテキストデータ３３や自由曲線３４で被験者ごとの診療データが入力されている。
【００４１】
なお、カルテ記憶手段２０２は、診療データが入力されていないフォーマット画像３２も、白紙の電子カルテとしてカルテＩＤ（Ｉｄｅｎｔｉｔｙ）とともにデータ記憶する。そして、被験者ごとのテキストデータ３３や自由曲線３４からなる診療データは、図１５に示すように、フォーマット画像３２での入力位置の座標データ、フォーマット画像３２のカルテＩＤ、被験者ごとの被験者ＩＤ、とともにデータ記憶される。
【００４２】
例えば、管理者などの作業者が所望のカルテ用紙３１のフォーマット画像３２を中央処理装置１１に光学スキャナ１１３で光学走査させたとき、そのカルテ用紙３１に適切なカルテＩＤを作業者が所望により中央処理装置１１にキーボード１１０などで入力操作すると、そのカルテＩＤが付与されたフォーマット画像３２がＨＤＤ１０５にデータ記憶される。
【００４３】
なお、一般的にカルテ用紙３１は複数ページで一組とされているので、その複数ページのフォーマット画像３２を一つのデータファイルとして一つのカルテＩＤが付与される。また、前述のようにビットマップデータからなるフォーマット画像３２はデータ容量が過大なので、データ記憶されるときにはＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）方式などで圧縮される。
【００４４】
そして、本形態のデータ管理システム１０では、上述のように電子カルテがカルテ用紙３１からデータ読取されたフォーマット画像３２からなるので、電子カルテがカルテ用紙３１のフォーマット画像３２ごとに仮想ページに区分されてデータ記憶されている。
【００４５】
閲覧入力手段２０３は、現場端末装置１２のＣＰＵ１０１が上述のコンピュータプログラムに対応してキーボード１１０の入力データを認識する機能などに相当し、特定の電子カルテの被験者ＩＤやカルテＩＤなどからなる閲覧指示の入力操作を受け付ける。
【００４６】
カルテ読出手段２０４は、現場端末装置１２のＣＰＵ１０１が中央処理装置１１のＣＰＵ１０１にＨＤＤ１０５の記憶データを読み出させてＩ／Ｆユニット１１４に送信させる機能などに相当し、閲覧入力手段２０３で入力操作された閲覧指示に対応する電子カルテをカルテ記憶手段２０２からデータ読出する。
【００４７】
なお、前述のように被験者ごとの電子カルテは被験者ＩＤごとにデータ登録されているので、その被験者ＩＤが閲覧指示とともに入力操作されることで、その被験者の診療データが必要なフォーマット画像３２と組み合されて電子カルテとしてデータ読出される。
【００４８】
また、前述のようにカルテ記憶手段２０２には診療データが入力されていないフォーマット画像３２も白紙の電子カルテとしてデータ登録されているので、そのカルテＩＤが閲覧指示とともに入力操作されることで、対応する白紙の電子カルテがデータ読出される。
【００４９】
カルテ保持手段２０５は、現場端末装置１２のＣＰＵ１０１がＩ／Ｆユニット１１４の受信データをＲＡＭ１０４のワークエリアに一時保持させる機能などに相当し、カルテ読出手段２０４でデータ読出されてデータ転送された電子カルテを一時保持する。
【００５０】
ページ表示手段２０６は、ＣＰＵ１０１がＲＡＭ１０４の保持データをディスプレイユニット１１２に表示出力させる機能などに相当し、カルテ保持手段２０５で一時保持された電子カルテを、仮想ページごとに区分してデータ表示する。
【００５１】
診療入力手段２０７は、現場端末装置１２のＣＰＵ１０１がキーボード１１０やマウス１１１の入力データをＲＡＭ１０４や中央処理装置１１のＨＤＤ１０５に格納する機能などに相当し、ページ表示手段２０６でデータ表示された電子カルテへの診療データの入力操作を受け付ける。
【００５２】
より具体的には、前述のように病院で使用する全部のカルテ用紙３１のフォーマット画像３２がカルテＩＤとともに中央処理装置１１にデータ登録されると、そのカルテＩＤが医療現場の医師に通達される。そこで、その医師により所望のカルテＩＤが医療現場の現場端末装置１２にキーボード１１０などで入力操作されると、そのカルテＩＤのフォーマット画像３２が中央処理装置１１からデータ読出されて伸張され、現場端末装置１２のディスプレイユニット１１２にデータ表示される。
【００５３】
この現場端末装置１２では、図１３に示すように、ディスプレイユニット１１２にカルテ用紙３１のフォーマット画像３２がデータ読出された状態で、図１４に示すように、マウス１１１により所望の位置にカーソルがクリックされると、そこからキーボード１１０によりテキストデータ３３で診療データが入力される。さらに、マウス１１１により所望の位置でカーソルがドラッグされると、その軌跡からなる自由曲線３４が診療データとして入力される。
【００５４】
このように現場端末装置１２でフォーマット画像３２にテキストデータ３３や自由曲線３４で診療データが入力された状態でキーボード１１０により記憶命令と被験者ＩＤとが入力操作されると、その被験者ＩＤがカルテＩＤとともに付与された診療データが電子カルテとして中央処理装置１１１のＨＤＤ１０５にデータ記憶される。
【００５５】
ただし、フォーマット画像３２は記入項目などがデータ管理システム１０に認識されていないビットマップデータからなり、診療データはテキストデータ３３や自由曲線３４からなるので、図１５に示すように、そのテキストデータ３３や自由曲線３４はフォーマット画像３２での入力位置の座標データとともに登録される。
【００５６】
そこで、現場端末装置１２にキーボード１１０により被験者ＩＤが入力操作されると、その被験者ＩＤに対応する診療データを中央処理装置１１がカルテＩＤとともにＨＤＤ１０５からデータ読出する。このとき、データ読出されたカルテＩＤでフォーマット画像３２もデータ読出され、そのフォーマット画像３２が診療データと合成されて現場端末装置１２のディスプレイユニット１１２にデータ表示される。
【００５７】
切換入力手段２０８は、ＣＰＵ１０１がキーボード１１０の入力データを認識する機能などに相当し、ページ表示手段２０６でデータ表示された仮想ページの前後切換の入力操作を受け付ける。ページ切換手段２０９は、ＣＰＵ１０１がディスプレイユニット１１２のデータ表示を動作制御する機能などに相当し、切換入力手段２０８に入力操作された前後切換に対応してデータ表示される仮想ページを前後切換させる。
【００５８】
前述のように、本形態のデータ管理システム１０では、電子カルテがカルテ用紙３１のフォーマット画像３２ごとに仮想ページに区分されてデータ記憶されているので、ディスプレイユニット１１２には、図１３および図１４に示すように、電子カルテが仮想ページごとにデータ表示される。
【００５９】
このような状態でキーボード１１０の入力操作装置１２０の操作部材１２６が前後方向に手動操作されると、これに対応してデータ表示されている電子カルテの仮想ページが前後切換される。なお、前述のように入力操作装置１２０は操作部材１２６が前後方向に複数段階に入力操作されるので、詳細には後述するが、その複数段階の入力操作に対応して仮想ページの切換速度も複数段階に可変される。
【００６０】
効果出力手段２１１は、ＣＰＵ１０１がディスプレイユニット１１２の表示出力およびスピーカユニット１１７の音声出力を動作制御する機能などに相当し、仮想ページの前後切換を動画でデータ表示させるとともに、仮想ページの前後切換に連動して効果音を音声出力する。
【００６１】
より具体的には、前述のように電子カルテの仮想ページはカルテ用紙３１のフォーマット画像３２からなるので、上述の動画はカルテ用紙３１がページめくりされる様子として表示され、効果音はカルテ用紙３１がページめくりされるときの音声として出力される。
【００６２】
音声入力手段２１２は、ＣＰＵ１０１がマイクロフォン１１６の入力音声をデータ認識する機能などに相当し、一連の音声データの音声入力を受け付ける。テキスト変換手段２１３は、ＣＰＵ１０１が所定のデータ処理を実行する機能などに相当し、音声入力手段２１２に音声入力される一連の音声データをテキストデータに変換する。
【００６３】
テキスト入力手段２１４は、現場端末装置１２のＣＰＵ１０１が入力データをＲＡＭ１０４や中央処理装置１１のＨＤＤ１０５に格納する機能などに相当し、テキスト変換手段２１３で変換されたテキストデータの少なくとも一部を診療データの少なくとも一部として電子カルテにデータ入力する。
【００６４】
ファイル生成手段２１５は、ＣＰＵ１０１が所定のデータ処理を実行する機能などに相当し、音声入力手段２１２に音声入力された一連の音声データを圧縮してＭＰ３（ＭＰｅｇ  ａｕｄｉｏ  ｌａｙｅｒ  ３）などの音声ファイルをデータ生成する。ファイル添付手段２１６は、現場端末装置１２のＣＰＵ１０１が入力データをＲＡＭ１０４や中央処理装置１１のＨＤＤ１０５に格納する機能などに相当し、ファイル生成手段２１５でデータ生成された音声ファイルを電子カルテに添付する。
【００６５】
音声再生手段２１７は、ＣＰＵ１０１が所定のデータ処理を実行する機能などに相当し、カルテ保持手段２０５に一時保持された電子カルテに添付されている音声ファイルを音声データに伸張する。音声出力手段２１８は、ＣＰＵ１０１がスピーカユニット１１７を動作制御する機能などに相当し、音声再生手段２１７で伸張された一連の音声データを音声出力する。
【００６６】
ページ取得手段２２１は、携帯端末装置１３のＣＰＵ１０１が中央処理装置１１のＨＤＤ１０５から記憶データをダウンロードする機能などに相当し、カルテ記憶手段２０２から電子カルテの少なくとも一部を仮想ページごとにデータ取得する。
【００６７】
より具体的には、前述のように中央処理装置１１には現場端末装置１２がオンラインで常時接続されており、現場端末装置１２には携帯端末装置１３が着脱自在に有線接続されるので、携帯端末装置１３は現場端末装置１２に接続された状態で中央処理装置１１にアクセスする。
【００６８】
ページ保持手段２２２は、携帯端末装置１３のＣＰＵ１０１がＩ／Ｆユニット１１４の入力データをＲＡＭ１０４のワークエリアに一時保持させる機能などに相当し、ページ取得手段２２１でデータ取得された電子カルテの仮想ページを一時保持する。
【００６９】
携帯表示手段２２３は、ＣＰＵ１０１がＲＡＭ１０４の保持データをディスプレイユニット１１２に表示出力させる機能などに相当し、ページ保持手段２２２で一時保持された電子カルテの仮想ページをデータ表示する。携帯入力手段２２４は、ＣＰＵ１０１がキーボード１１０の入力データを認識する機能などに相当し、携帯表示手段２２３でデータ表示された仮想ページに診療データが入力操作される。
【００７０】
診療保持手段２２５は、ＣＰＵ１０１がキーボード１１０の入力データをＲＡＭ１０４に格納する機能などに相当し、携帯入力手段２２４で入力操作された診療データを一時保持する。診療転送手段２２６は、携帯端末装置１３のＣＰＵ１０１がＲＡＭ１０４の保持データを中央処理装置１１のＨＤＤ１０５に格納する機能などに相当し、診療保持手段２２５で一時保持された診療データを中央処理装置１１のカルテ記憶手段２０２の対応する電子カルテの対応する仮想ページにデータ入力する。
【００７１】
上述のような各種装置１１〜１３の各種手段２０１〜２２６は、必要によりＨＤＤ１０５やＩ／Ｆユニット１１４等のハードウェアを利用して実現されるが、その主体はＲＡＭ１０４等の情報記憶媒体に格納されたコンピュータプログラムに対応してハードウェアであるＣＰＵ１０１が機能することにより実現されている。
【００７２】
例えば、中央処理装置１１のコンピュータプログラムは、光学スキャナ１１３などでカルテ用紙３１を光学走査してフォーマット画像３２をデータ取得すること、そのフォーマット画像３２を仮想ページとした電子カルテをＨＤＤ１０５などでデータ記憶すること、現場端末装置１２からデータ受信した閲覧指示に対応する電子カルテをデータ読出してデータ返信すること、等の処理動作をＣＰＵ１０１等に実行させるためのソフトウェアとしてＲＡＭ１０４等の情報記憶媒体に格納されている。
【００７３】
また、現場端末装置１２のコンピュータプログラムは、キーボード１１０などによる電子カルテの閲覧指示の入力操作を受け付けること、中央処理装置１１からデータ転送された電子カルテをＲＡＭ１０４などに一時保持させること、一時保持された電子カルテを仮想ページごとに区分してディスプレイユニット１１２にデータ表示させること、データ表示された電子カルテへのキーボード１１０などによる診療データの入力操作を受け付けること、データ表示された仮想ページへの入力操作装置１２０による前後切換の複数段階の入力操作を受け付けること、入力操作された前後切換に対応してデータ表示される仮想ページを複数段階の切換速度で前後切換させること、仮想ページの前後切換を動画でデータ表示させること、仮想ページの前後切換に連動して効果音をスピーカユニット１１７などに音声出力させること、マイクロフォン１１６などによる一連の音声データの音声入力を受け付けること、音声入力される一連の音声データをテキストデータに変換すること、変換されたテキストデータの少なくとも一部を診療データの少なくとも一部として電子カルテにデータ入力すること、音声入力された一連の音声データを圧縮してＭＰ３などの音声ファイルをデータ生成すること、データ生成された音声ファイルを電子カルテに添付すること、電子カルテに添付されている音声ファイルを音声データに伸張すること、伸張された一連の音声データをスピーカユニット１１７などに音声出力させること、等の処理動作をＣＰＵ１０１等に実行させるためのソフトウェアとしてＲＡＭ１０４等の情報記憶媒体に格納されている。
【００７４】
さらに、携帯端末装置１３のコンピュータプログラムは、中央処理装置１１から電子カルテの少なくとも一部を仮想ページごとにデータ取得すること、データ取得された電子カルテの仮想ページをＲＡＭ１０４などで一時保持すること、一時保持された電子カルテの仮想ページをディスプレイユニット１１２などでデータ表示すること、データ表示された仮想ページへのキーボード１１０などによる診療データの入力操作を受け付けること、入力操作された診療データを一時保持すること、一時保持された診療データを中央処理装置１１の対応する電子カルテの対応する仮想ページにデータ入力すること、等の処理動作をＣＰＵ１０１等に実行させるためのソフトウェアとしてＲＡＭ１０４等の情報記憶媒体に格納されている。
【００７５】
［実施の形態の動作］
上述のような構成において、本形態のデータ管理システム１０によるデータ管理方法を以下に説明する。まず、本形態のデータ管理システム１０が構築される病院では、１個の中央処理装置１１が一つの管理事務所に設置され、複数の現場端末装置１２が複数の医療現場ごとに設置される。その複数の医療現場では、診療データの記録にカルテ用紙３１が使用されているが、そのカルテ用紙３１の記入フォーマットは医療現場ごとに相違している。
【００７６】
そこで、このような複数種類のカルテ用紙３１が１個の中央処理装置１１で光学走査されてフォーマット画像３２がデータ取得され、このフォーマット画像３２が白紙の電子カルテとしてカルテ用紙３１の種類ごとのカルテＩＤとともにデータ保存される。このカルテＩＤは管理事務所から医療現場に通達されるので、これで医療現場の医師は電子カルテを利用できる状態となる。
【００７７】
このような状態で、医療現場で被験者を診療する医師が診療データを記録する場合、図１６に示すように、その診療が初診ならば閲覧指示として所望のカルテ用紙３１のカルテＩＤを現場端末装置１２にキーボード１１０で入力操作し、初診でないならば閲覧指示として被験者ＩＤを入力操作する（ステップＳ１）。
【００７８】
現場端末装置１２は、入力操作された閲覧指示を中央処理装置１１にデータ送信するので（ステップＳ２）、この中央処理装置１１は、データ受信した閲覧指示がカルテＩＤであると白紙の電子カルテとしてフォーマット画像３２をデータ読出し、閲覧指示が被験者ＩＤであると電子カルテとして対応するフォーマット画像３２と診療データとをデータ読出する。
【００７９】
上述のようにデータ読出された電子カルテは中央処理装置１１から現場端末装置１２にデータ返信されるので、この現場端末装置１２は、データ受信した電子カルテをＲＡＭ１０４のワークエリアなどで一時保持する（ステップＳ３，Ｓ４）。
【００８０】
さらに、この現場端末装置１２は、一時保持した電子カルテの第１の仮想ページをディスプレイユニット１１２でデータ表示するので（ステップＳ６）、図１３および図１４に示すように、医療現場の医師には、電子カルテが使い慣れたカルテ用紙３１と同様に提示される。
【００８１】
このような状態でキーボード１１０の入力操作装置１２０の操作部材１２６が前後方向に入力操作されると（ステップＳ７）、現場端末装置１２は、データ表示している電子カルテの仮想ページを前後切換する（ステップＳ８）。このとき、入力操作装置１２０の操作部材１２６は前後方向に複数段階に入力操作されるので、その入力操作に対応した複数段階の切換速度で電子カルテの仮想ページが切換表示される。
【００８２】
より具体的には、上述のように電子カルテの仮想ページがデータ表示された状態で、入力操作装置１２０の操作部材１２６の前端部分が第１荷重まで押圧操作されると、仮想ページが前進方向に低速に切り換えられ、その操作圧力が第２荷重まで増加されると、仮想ページの切換速度が高速となる。同様に、入力操作装置１２０の操作部材１２６の後端部分が第１／第２荷重まで押圧操作されると、仮想ページが後退方向に低速／高速に切り換えられる。
【００８３】
なお、上述のように入力操作装置１２０の操作部材１２６を手動操作して仮想ページを順次切り換えている場合でも、その手動操作を解除すると自動的に操作部材１２６が初期位置に復帰して入力操作装置１２０の信号出力が停止するので、仮想ページの前進後退は瞬時に停止する。
【００８４】
また、上述のように仮想ページが前後方向に低速に切換表示されているときは、例えば、表示されている仮想ページが１．０（ｓｅｃ）などの所定時間が経過するごとに切り換えられるので、操作部材１２６を一瞬だけ押圧操作すれば仮想ページを一つだけ前後させることができる。
【００８５】
さらに、現場端末装置１２は、上述のようにデータ表示している電子カルテの仮想ページを前後切換するとき、仮想ページの前後切換を動画でデータ表示させるとともに、仮想ページの前後切換に連動して効果音を音声出力するので、医師にはカルテ用紙３１のページめくりと同様に電子カルテが切換表示される。
【００８６】
また、上述のようにデータ表示された電子カルテの仮想ページには、例えば、図１４に示すように、入力位置をマウス１１１でクリックしてからキーボード１１０でテキストデータ３３を入力操作することができ、マウス１１１のドラッグで自由曲線３４をデータ入力できるので（ステップＳ９，Ｓ１０）、医師はカルテ用紙３１への手書きの場合と同様に診療データを入力することができる。
【００８７】
また、医師が所望によりキーボード１１０に所定操作を実行すると、現場端末装置１２は、マイクロフォン１１６により音声データを入力できる状態となるので（ステップＳ１１）、例えば、医師が被験者を問診する音声が現場端末装置１２にデータ入力されてデータ保持される（ステップＳ１２）。
【００８８】
そこで、医師がデータ表示されている仮想ページへのテキスト入力をキーボード１１０で指示すると（ステップＳ１３）、現場端末装置１２は音声データをテキストデータに変換し（ステップＳ１４）、これを診療データとしてデータ表示されている仮想ページにデータ入力する（ステップＳ１５）。
【００８９】
また、図１７に示すように、医師が表示出力されている電子カルテへの音声データのファイル添付をキーボード１１０で指示すると（ステップＳ１６）、現場端末装置１２は音声データを圧縮して音声ファイルをデータ生成し（ステップＳ１７）、この音声ファイルをデータ表示されている電子カルテに添付する（ステップＳ１８）。
【００９０】
一方、音声データの再生指示がキーボード１１０に入力操作されると（ステップＳ１９）、現場端末装置１２は、データ表示している電子カルテに音声ファイルが添付されているかを確認し（ステップＳ２０）、これが添付されていない場合は“現在表示している電子カルテには音声ファイルが添付されていません”などのエラーガイダンスをディスプレイユニット１１２にデータ表示する（ステップＳ２１）。
【００９１】
データ表示されている電子カルテに音声ファイルが添付されていた場合、現場端末装置１２は、その音声ファイルを音声データに伸張する（ステップＳ２２）。そして、その音声データをスピーカユニット１１７で音声出力するので（ステップＳ２３）、医師は被験者を問診したときなどの音声を再生して確認することができる。
【００９２】
また、必要な電子カルテの閲覧を完了した医師が、現場端末装置１２に閲覧終了を入力操作すると（ステップＳ２４）、ディスプレイユニット１１２に“現在の内容で電子カルテを更新しますか？”などのガイダンスメッセージがデータ表示される（ステップＳ２５）。
【００９３】
そこで、医師が所望によりデータ更新をキーボード１１０などで入力操作すると（ステップＳ２６）、現場端末装置１２に一時保持されている電子カルテで中央処理装置１１の電子カルテがデータ更新される（ステップＳ２７）。このため、医師は白紙の電子カルテに医療データを入力して登録することや、医療データが登録されている電子カルテを編集して更新することができる。
【００９４】
また、本形態のデータ管理システム１０では、例えば、看護士などが携帯端末装置１３で中央処理装置１１から電子カルテの仮想ページをデータ複写し、その仮想ページに携帯端末装置１３で医療データを入力して中央処理装置１１の電子カルテに登録することもできる。
【００９５】
その場合、例えば、前述のようにディスプレイユニット１１２に電子カルテの仮想ページがデータ表示された現場端末装置１２に携帯端末装置１１を有線接続し、その携帯端末装置１１のキーボード１１０に仮想ページの取得指示を入力操作する（ステップＴ１）。
【００９６】
すると、その取得指示が携帯端末装置１１から現場端末装置１２にデータ送信されるので（ステップＴ２）、現場端末装置１２から携帯端末装置１１にデータ表示されている電子カルテの仮想ページがデータ送信される（ステップＴ３）。
【００９７】
そこで、この携帯端末装置１１はデータ受信した仮想ページをＲＡＭ１０４などでデータ保持してディスプレイユニット１１２にデータ表示するので（ステップＴ４，Ｔ５）、例えば、この仮想ページをデータ表示した携帯端末装置１１を看護士は現場端末装置１２から取り外す。
【００９８】
このような状態で、看護士は所望の医療現場まで携帯端末装置１１を携帯し、そのデータ表示されている仮想ページにキーボード１１０で診療データを入力操作すると（ステップＴ６）、その診療データが携帯端末装置１１のＲＡＭ１０４などに保持される（ステップＴ７）。
【００９９】
そこで、看護士が所望により携帯端末装置１１を任意の現場端末装置１２に有線接続し、携帯端末装置１１のキーボード１１０に診療データの転送指示を入力操作する（ステップＴ８）。すると、携帯端末装置１１は保持している診療データを現場端末装置１２から中央処理装置１１までデータ転送するので（ステップＴ９）、この中央処理装置１１では、データ転送された診療データが対応する電子カルテの対応する仮想ページにデータ登録される。
【０１００】
［実施の形態の効果］
本形態のデータ管理システム１０によるデータ管理方法では、上述のように電子カルテを仮想ページごとに区分してデータ表示し、その仮想ページの前後切換が入力操作されると、その入力操作に対応してデータ表示される仮想ページを前後切換する。このため、電子データからなる電子カルテをカルテ用紙３１の場合と同様にデータ表示して前後切換することができるので、電子データの操作に不慣れな医師などでも電子カルテをカルテ用紙３１のように容易に利用することができる。
【０１０１】
さらに、データ表示された仮想ページの前後切換が、カルテ用紙３１のページめくりと同様な動画でデータ表示され、その仮想ページの前後切換に連動して、カルテ用紙３１をページめくりするときと同様な効果音が音声出力されるので、よりリアルに電子カルテをカルテ用紙のように利用することができる。
【０１０２】
しかも、入力操作装置１２０を前後方向に入力操作することで、データ表示されている仮想ページを前後方向に表示切換することができ、その切換速度を入力操作装置１２０の操作具合で自在に調節できる。さらに、操作部材１２６の手動操作を解除することで仮想ページの切換表示を瞬時に停止させることもできるので、電子カルテを良好な操作性で迅速かつ確実に閲覧することができる。
【０１０３】
しかも、カルテ用紙３１から光学走査されたフォーマット画像３２を仮想ページとして電子カルテがデータ表示されるので、医師などは使い慣れたカルテ用紙３１と同一の外観の電子カルテを利用することができ、使い慣れたカルテ用紙３１への手書きの場合と同様に診療データを入力することができる。
【０１０４】
さらに、大容量のフォーマット画像３２はカルテ用紙３１ごとにカルテＩＤとともにデータ登録され、診療作業ごとに入力される小容量の多数の診療データは、カルテＩＤのみ付与されてフォーマット画像３２とは別個にデータ保存されるので、多数の診療データの記憶容量が削減されている。
【０１０５】
また、電子カルテの仮想ページをデータ表示した状態で、必要により音声データを音声入力してテキストデータに変換し、それを診療データとしてデータ表示されている仮想ページに入力できるので、キーボード１１０の手動操作に習熟していない医師などでも簡単かつ迅速に診療データを入力することが可能である。
【０１０６】
しかも、上述の音声データを音声ファイルに圧縮して電子カルテに添付することもできるので、音声データがテキストデータに完全に変換させていなくとも、後日に内容を確認することも可能であり、例えば、被験者との会話を証拠として保存するようなことも可能である。
【０１０７】
さらに、中央処理装置１１に格納されている電子カルテの仮想ページを看護士などが携帯する携帯端末装置１３にデータ取得して診療データを入力し、この診療データを携帯端末装置１３から中央処理装置１１にデータ転送して電子カルテに入力することができる。このため、電子カルテの仮想ページを部分的に携帯して診療データを入力することができ、さらに電子カルテをカルテ用紙３１と同様に取り扱うことができる。
【０１０８】
［実施の形態の変形例］
本発明は上記形態に限定されるものではなく、その要旨を逸脱しない範囲で各種の変形を許容する。例えば、上記形態では１個の中央処理装置１１と複数の現場端末装置１２とがオンライン接続されていることを例示したが、これらを１個の中央処理装置１１のみとすることも可能である。
【０１０９】
また、上記形態ではカルテ用紙３１を光学走査して仮想ページとなるフォーマット画像３２をデータ取得することを例示したが、例えば、カルテ用紙３１の版下を光学走査してフォーマット画像３２をデータ取得することも可能であり、カルテ用紙３１の印刷データからフォーマット画像３２をデータ取得することも可能である。
【０１１０】
また、上記形態ではカルテ用紙３１を光学走査した中央処理装置１１が、その罫線や記入項目などをデータ認識することなくビットマップデータとしてフォーマット画像３２をデータ取得することを例示したが、データ取得したフォーマット画像３２を罫線や記入項目などのデータ認識でＣＧ（Ｃｏｍｐｕｔｅｒ  Ｇｒａｐｈｉｃ）に変換することも可能である。その場合、カルテ用紙３１のフォーマット画像３２のデータ容量を大幅に削減することができ、記入項目への診療データの入力操作を容易とすることができる。
【０１１１】
さらに、上述のような光学走査を実行することなく電子カルテの仮想ページを最初から電子データとして作成することも可能であり、仮想ページが存在しない電子カルテを作成しておいてデータ表示するときに仮想ページに区分することも可能である。
【０１１２】
また、上記形態では電子カルテをカルテ用紙３１と同様にデータ表示するため、仮想ページの表示切換をページめくりの動画とすることを例示したが、他にも各種表現が可能である。例えば、一般的に、ディスプレイユニット１１２は、画像データを表示出力していない状態の地色が黒色であり、カルテ用紙３１から画像読取された電子カルテは、白色を地色として表示出力する。
【０１１３】
このため、電子カルテの表示切換が“電子カルテ→ディスプレイユニット１１２の地色→電子カルテ”となる場合、その表示は“白色→黒色→白色”と順番に変化することになり、これを目視することは眼精疲労などの原因ともなる。そこで、これを解決するため、データ表示を前後切換する仮想ページの中間に、無地の灰色ページと黒色ページと灰色ページとを順番に挿入すれば、その表示は“地色→灰色→黒色→灰色→白色”とグラデーションになり、眼精疲労などを軽減することができる。
【０１１４】
さらに、上記形態では説明を簡単とするため、電子カルテに医師や看護士が自由に診療データを入力できることを例示したが、例えば、本出願人が特願２００２−３４０８５５号として出願したように、電子カルテに診療データを閲覧や入力できる領域を作業者ごとに設定し、それを作業者ごとのログインデータで制限するようなことも可能である。
【０１１５】
また、上記形態では電子カルテにデータ入力された診療データが単純に表示出力されることを想定したが、例えば、入力した作業者ごとに診療データの表示フォントを相違させることにより、その診療データを入力した作業者を特定可能とすることも可能である。
【０１１６】
また、上記形態ではＲＡＭ１０４等に格納されているコンピュータプログラムに対応してＣＰＵ１０１が動作することにより、中央処理装置１１の各種機能として各種手段が論理的に実現されることを例示した。しかし、このような各種手段の各々を固有のハードウェアとして形成することも可能であり、一部をソフトウェアとしてＲＡＭ１０４等に格納するとともに一部をハードウェアとして形成することも可能である。
【０１１７】
【発明の効果】
本発明のデータ管理システムでは、電子カルテを仮想ページごとに区分してデータ表示し、その仮想ページの前後切換が入力操作されると、その入力操作に対応してデータ表示される仮想ページを前後切換することにより、電子データからなる電子カルテをカルテ用紙の場合と同様にデータ表示して前後切換することができるので、電子データの操作に不慣れな作業者でも電子カルテをカルテ用紙のように容易に利用することができる。
【図面の簡単な説明】
【図１】本発明の実施の一形態のデータ管理システムの中央処理装置および現場端末装置の論理構造を示す模式図である。
【図２】データ管理システムの携帯端末装置などの論理構造を示す模式図である。
【図３】データ管理システムの物理構造を示すブロック図である。
【図４】中央処理装置の物理構造を示すブロック図である。
【図５】現場端末装置の物理構造を示すブロック図である。
【図６】携帯端末装置の物理構造を示すブロック図である。
【図７】現場端末装置の外観を示す斜視図である。
【図８】現場端末装置のキーボードの外観を示す平面図である。
【図９】キーボードの要部を示す分解斜視図である。
【図１０】入力操作装置の組立構造を示す分解斜視図である。
【図１１】入力操作装置の内部構造を示す縦断側面図である。
【図１２】入力操作装置の動作を示す縦断側面図である。
【図１３】カルテ用紙のフォーマット画像からなる電子カルテの仮想ページを示す模式図である。
【図１４】仮想ページに診療データが入力操作された状態を示す模式図である。
【図１５】診療データが抽出された状態を示す模式図である。
【図１６】現場端末装置のデータ処理方法の前半部分を示すフローチャートである。
【図１７】後半部分を示すフローチャートである。
【図１８】携帯端末装置のデータ処理方法を示すフローチャートである。
【符号の説明】
１０    データ管理システム
１１    中央処理装置
１２    現場端末装置
１３    携帯端末装置
３１    カルテ用紙
３２    仮想ページとなるフォーマット画像
３３    診療データの一部であるテキストデータ
３４    診療データの一部である自由曲線
２０１    画像取得手段
２０２    カルテ記憶手段
２０３    カルテ読出手段
２０４    閲覧入力手段
２０５    カルテ保持手段
２０６    ページ表示手段
２０７    診療入力手段
２０８    切換入力手段
２０９    ページ切換手段
２１１    効果出力手段
２１２    音声入力手段
２１３    テキスト変換手段
２１４    テキスト入力手段
２１５    ファイル生成手段
２１６    ファイル添付手段
２１７    音声再生手段
２１８    音声出力手段
２２１    ページ取得手段
２２２    ページ保持手段
２２３    携帯表示手段
２２４    携帯入力手段
２２５    診療保持手段
２２６    診療転送手段
【図１】
2005025556.tif 000003
【図２】
2005025556.tif 000004
【図３】
2005025556.tif 000005
【図４】
2005025556.tif 000006
【図５】
2005025556.tif 000007
【図６】
2005025556.tif 000008
【図７】
2005025556.tif 000009
【図８】
2005025556.tif 000010
【図９】
2005025556.tif 000011
【図１０】
2005025556.tif 000012
【図１１】
2005025556.tif 000013
【図１２】
2005025556.tif 000014
【図１３】
2005025556.tif 000015
【図１４】
2005025556.tif 000016
【図１５】
2005025556.tif 000017
【図１６】
2005025556.tif 000018
【図１７】
2005025556.tif 000019
【図１８】
2005025556.tif 000020